(57)【要約】【課題】スロットイン方式のディスク再生機能付薄型テレビジョン装置において、装置全体の薄型化とディスク再生装置本体内部への塵埃の侵入の防止を図る。【解決手段】ディスク挿入口２２が上向きに設けられたスロットイン式ディスク再生機能付薄型テレビジョン装置１００において、表示部１１の表示画面１１１とディスク挿入口２２の挿入方向とが平行となるように配置され、ディスク挿入口２２を備える筐体２１の内周を囲んでディスク挿入口２２を覆うベルト２６１には、ディスクを挿入可能な大きさのベルト開口部２６１１が設けられ、ベルト２６１が回転することによって、ディスク挿入口２２を当該ベルト２６１により塞ぐ閉状態と、ディスク挿入口２２がベルト開口部２６１１を介して開口する開状態とが形成される。【選択図】図５
2006331492.tif 000002
【特許請求の範囲】
【請求項１】
ディスク挿入口が上向きに設けられたスロットイン式ディスク再生装置と、表示部の表示画面と前記ディスク挿入口の挿入方向とが平行となるように配置された薄型テレビジョン装置とを一体的に備えるスロットイン式ディスク再生機能付薄型テレビジョン装置であって、
前記ディスク挿入口を備える筐体内に収容され、ディスクの再生を行う再生部と、
前記筐体内の隅部に設けられ、当該スロットイン式ディスク再生機能付薄型テレビジョン装置の奥行き方向に平行な軸を中心に回転するローラと、
前記ローラに巻回され、前記筐体の内周を囲んで前記ディスク挿入口を覆うベルトと、
前記ローラを回転させてベルトを回転させる駆動部と、を備え、
前記ベルトには、前記ディスクを挿入可能な大きさのベルト開口部が設けられ、
前記ベルトが回転することによって、前記ディスク挿入口を当該ベルトにより塞ぐ閉状態と、前記ディスク挿入口が前記ベルト開口部を介して開口する開状態とが形成され、
前記ベルトの位置が前記閉状態か、或いは前記開状態か否かを検出する検出部と、
前記ディスク挿入又は排出を指示入力する操作部と、
前記操作部によりディスク挿入又は排出の指示入力がされた場合に、前記検出部により前記ベルトの位置が開状態であると検出されるまで、前記駆動部に対し、前記ベルトを回転させる制御を行う開状態制御手段と、
前記ディスクが前記再生部に装填されたか否かを検出する装填検出部と、
前記装填検出部により、前記ディスクが前記再生部に装填されたと検出された場合に、前記検出部により前記ベルトの位置が閉状態であると検出されるまで、前記駆動部に対し、前記ベルトを回転させる制御を行う第一の閉状態制御手段と、
前記ディスクが前記ディスク挿入口から取り出されたか否かを検出する取り出し検出部と、
前記取り出し検出部により、前記ディスクが前記ディスク挿入口から取り出されたと検出された場合に、前記検出部により前記ベルトの位置が閉状態であると検出されるまで、前記駆動部に対し、前記ベルトを回転させる制御を行う第二の閉状態制御手段と、
を備えることを特徴とするスロットイン式ディスク再生機能付薄型テレビジョン装置。
【請求項２】
ディスク挿入口が上向きに設けられたスロットイン式ディスク再生装置と、表示部の表示画面と前記ディスク挿入口の挿入方向とが平行となるように配置された薄型テレビジョン装置とを一体的に備えるスロットイン式ディスク再生機能付薄型テレビジョン装置であって、
前記ディスク挿入口を備える筐体内に収容され、ディスクの再生を行う再生部と、
前記筐体の外周或いは内周を囲んで前記ディスク挿入口を覆うとともに、当該ディスク挿入口の長手方向に沿って回転可能に設けられたベルトと、を備え、
前記ベルトには、前記ディスクを挿入可能な大きさのベルト開口部が設けられ、
前記ベルトが回転することによって、前記ディスク挿入口を当該ベルトにより塞ぐ閉状態と、前記ディスク挿入口が前記ベルト開口部を介して開口する開状態とが形成されることを特徴とするスロットイン式ディスク再生機能付薄型テレビジョン装置。
【請求項３】
請求項２記載のスロットイン式ディスク再生機能付薄型テレビジョン装置において、
前記ベルトを回転させる駆動部と、
前記ベルトが前記閉状態か、或いは前記開状態か否かを検出する検出部と、
前記ディスク挿入又は排出を指示入力する操作部と、
前記操作部によりディスク挿入又は排出の指示入力がされた場合に、前記検出部により前記ベルトの位置が開状態であると検出されるまで、前記駆動部に対し、前記ベルトを回転させる制御を行う開状態制御手段と、
を備えることを特徴とするスロットイン式ディスク再生機能付薄型テレビジョン装置。
【請求項４】
請求項３記載のスロットイン式ディスク再生機能付薄型テレビジョン装置において、
前記ディスクが前記再生部に装填されたか否かを検出する装填検出部と、
前記装填検出部により、前記ディスクが前記再生部に装填されたと検出された場合に、前記検出部により前記ベルトの位置が閉状態であると検出されるまで、前記駆動部に対し、前記ベルトを回転させる制御を行う第一の閉状態制御手段と、
を備えることを特徴とするスロットイン式ディスク再生機能付薄型テレビジョン装置。
【請求項５】
請求項３又は４に記載のスロットイン式ディスク再生機能付薄型テレビジョン装置において、
前記ディスクが前記ディスク挿入口から取り出されたか否かを検出する取り出し検出部と、
前記取り出し検出部により、前記ディスクが前記ディスク挿入口から取り出されたと検出された場合に、前記検出部により前記ベルトの位置が閉状態であると検出されるまで、前記駆動部に対し、前記ベルトを回転させる制御を行う第二の閉状態制御手段と、
を備えることを特徴とするスロットイン式ディスク再生機能付薄型テレビジョン装置。
【発明の詳細な説明】
【技術分野】
【０００１】
本発明は、スロットイン式のディスク再生機能付薄型テレビジョン装置に関する。
【背景技術】
【０００２】
従来より、液晶テレビジョン受像機等の薄型テレビジョン受像機と、ＤＶＤ（Digital Versatile Disc）等のディスク型記録媒体再生装置との一体化複合製品（例えば、特許文献１，２参照）が知られている。
【０００３】
このようなディスク再生機能付薄型テレビジョン装置（以下、薄型テレビジョンという。）では、薄型テレビジョンに取付けられたディスク再生装置のディスク挿入排出方向と薄型テレビジョンの薄型表示部の表示画面とがほぼ直交する配置構成となっている。従って、製品全体の奥行きが長くなり、据えつけ空間も大きくなるため、薄型テレビジョンが本来有している薄型という特徴を阻害してしまうという。そこで、ディスク再生装置のディスク挿入排出方向とテレビジョンの表示部の表示画面とを平行に配置し、ディスク挿入部を上向きにした配置構成（例えば、特許文献３）の方が、省スペースの観点からより好ましいと考えられる。
【０００４】
しかしながら、ディスク挿入口を上向きにした薄型テレビジョンでは、ディスク挿入口から再生装置本体に塵埃が入り込みやすく、製品の良好な使用を阻害するおそれがある。
【０００５】
そこで、従来、ディスク再生装置における塵埃の侵入防止技術として、トレイを突出させて所定の位置で停止したときに、ディスク再生装置の開口部を塞ぐ蓋部を具備する方式（例えば、特許文献４参照）や、ディスクカートリッジの挿入口に蓋を設け、ディスクローディング機構を構成するカムギヤの回転に連動して、連動レバーを通して開蓋操作がなされるスロットイン方式のディスク再生装置(例えば、特許文献５参照)などが開示されている。
【特許文献１】特開２００１−３３２０７４号公報
【特許文献２】特開２００１−３０７４７０号公報
【特許文献３】特開平７−２３３１１号公報
【特許文献４】特開平１１−１１０９５８号公報
【特許文献５】特開平６−２２３４７１号公報
【発明の開示】
【発明が解決しようとする課題】
【０００６】
しかしながら、特許文献４に開示されている技術は、トレイ式であり、一般に、トレイ式はスロットイン式に比べて、スペースをより必要とするため、省スペースという観点からは好ましくない。また、特許文献５に開示されている技術は、スロットイン式ではあるものの、ディスク挿入口を上向きに設置する場合は想定されておらず、仮に、ディスク挿入口を上向きに設置した場合には、ディスク挿入口に設けられた蓋に塵埃が堆積してしまい、ディスク挿入時に蓋に堆積した塵埃がディスクと一緒にディスク再生装置本体内に侵入してしまうという問題が生じる。
【０００７】
本発明は、前記課題を解決するためになされたものであって、ディスク挿入口が上向きに配置されていても、コンパクトで且つ再生装置本体内部への塵埃の侵入を好適に防止することのできるスロットイン式ディスク再生機能付薄型テレビジョン装置を提供することを目的としている。  
【課題を解決するための手段】
【０００８】
以上の目的を達成するため、請求項１に記載の発明は、ディスク挿入口が上向きに設けられたスロットイン式ディスク再生装置と、表示部の表示画面と前記ディスク挿入口の挿入方向とが平行となるように配置された薄型テレビジョン装置とを一体的に備えるスロットイン式ディスク再生機能付薄型テレビジョン装置であって、
前記ディスク挿入口を備える筐体内に収容され、ディスクの再生を行う再生部と、
前記筐体内の隅部に設けられ、当該スロットイン式ディスク再生機能付薄型テレビジョン装置の奥行き方向に平行な軸を中心に回転するローラと、
前記ローラに巻回され、前記筐体の内周を囲んで前記ディスク挿入口を覆うベルトと、
前記ローラを回転させてベルトを回転させる駆動部と、を備え、
前記ベルトには、前記ディスクを挿入可能な大きさのベルト開口部が設けられ、
前記ベルトが回転することによって、前記ディスク挿入口を当該ベルトにより塞ぐ閉状態と、前記ディスク挿入口が前記ベルト開口部を介して開口する開状態とが形成され、
前記ベルトの位置が前記閉状態か、或いは前記開状態か否かを検出する検出部と、
前記ディスク挿入又は排出を指示入力する操作部と、
前記操作部によりディスク挿入又は排出の指示入力がされた場合に、前記検出部により前記ベルトの位置が開状態であると検出されるまで、前記駆動部に対し、前記ベルトを回転させる制御を行う開状態制御手段と、
前記ディスクが前記再生部に装填されたか否かを検出する装填検出部と、
前記装填検出部により、前記ディスクが前記再生部に装填されたと検出された場合に、前記検出部により前記ベルトの位置が閉状態であると検出されるまで、前記駆動部に対し、前記ベルトを回転させる制御を行う第一の閉状態制御手段と、
前記ディスクが前記ディスク挿入口から取り出されたか否かを検出する取り出し検出部と、
前記取り出し検出部により、前記ディスクが前記ディスク挿入口から取り出されたと検出された場合に、前記検出部により前記ベルトの位置が閉状態であると検出されるまで、前記駆動部に対し、前記ベルトを回転させる制御を行う第二の閉状態制御手段と、
を備えることを特徴とする。
【０００９】
請求項２に記載の発明は、ディスク挿入口が上向きに設けられたスロットイン式ディスク再生装置と、表示部の表示画面と前記ディスク挿入口の挿入方向とが平行となるように配置された薄型テレビジョン装置とを一体的に備えるスロットイン式ディスク再生機能付薄型テレビジョン装置であって、
前記ディスク挿入口を備える筐体内に収容され、ディスクの再生を行う再生部と、
前記筐体の外周或いは内周を囲んで前記ディスク挿入口を覆うとともに、当該ディスク挿入口の長手方向に沿って回転可能に設けられたベルトと、を備え、
前記ベルトには、前記ディスクを挿入可能な大きさのベルト開口部が設けられ、
前記ベルトが回転することによって、前記ディスク挿入口を当該ベルトにより塞ぐ閉状態と、前記ディスク挿入口が前記ベルト開口部を介して開口する開状態とが形成されることを特徴とする。
【００１０】
請求項３に記載の発明は、請求項２記載のスロットイン式ディスク再生機能付薄型テレビジョン装置において、
前記ベルトを回転駆動する駆動部と、
前記ベルトが前記閉状態か、或いは前記開状態か否かを検出する検出部と、
前記ディスク挿入又は排出を指示入力する操作部と、
前記操作部によりディスク挿入又は排出の指示入力がされた場合に、前記検出部により前記ベルトの位置が開状態であると検出されるまで、前記駆動部に対し、前記ベルトを回転させる制御を行う開状態制御手段と、
を備えることを特徴とする。
【００１１】
請求項４に記載の発明は、請求項３記載のスロットイン式ディスク再生機能付薄型テレビジョン装置において、
前記ディスクが前記再生部に装填されたか否かを検出する装填検出部と、
前記装填検出部により、前記ディスクが前記再生部に装填されたと検出された場合に、前記検出部により前記ベルトの位置が閉状態であると検出されるまで、前記駆動部に対し、前記ベルトを回転させる制御を行う第一の閉状態制御手段と、
を備えることを特徴とする。
【００１２】
請求項５に記載の発明は、請求項３又は４に記載のスロットイン式ディスク再生機能付薄型テレビジョン装置において、
前記ディスクが前記ディスク挿入口から取り出されたか否かを検出する取り出し検出部と、
前記取り出し検出部により、前記ディスクが前記ディスク挿入口から取り出されたと検出された場合に、前記検出部により前記ベルトの位置が閉状態であると検出されるまで、前記駆動部に対し、前記ベルトを回転させる制御を行う第二の閉状態制御手段と、
を備えることを特徴とする。
【発明の効果】
【００１３】
請求項１に記載の発明によれば、ディスク挿入口が上向きに設けられたスロットイン式ディスク再生装置と、表示部の表示画面と前記ディスク挿入口の挿入方向とが平行となるように配置されているため、ディスク再生機能付薄型テレビジョン装置の装置全体の薄型化が図られる。
【００１４】
また、ベルト開口部を有するベルトが筐体の外周あるいは内周を囲んで回転することによって、ディスク挿入口をベルトによって塞ぐ閉状態と、ディスク挿入口がベルト開口部を介して開口する開状態とが形成される。したがって、ディスクの挿入又は排出時以外はディスク挿入口を塞いで閉状態を形成することで、ディスク再生装置本体内部への塵埃の侵入を防止することができる。
【００１５】
また、ディスク挿入・排出時には、操作部からの指示入力に基づいて駆動部によりベルトを閉状態から開状態へと切り替える回転駆動が開始され、その後、検出部によりベルトの位置が開状態を形成していると検出されるとベルトの回転駆動が停止されるため、ベルトの回転駆動の停止を指示する手間を省くことができ、ディスク挿入・排出時におけるベルトの閉状態から開状態への切り替えがスムーズに行われることとなる。
【００１６】
更に、再生部へのディスクの装填後には、ベルトを開状態から閉状態へと切り替える回転駆動が開始され、その後、検出部によりベルトの位置が閉状態を形成していると検出されるとベルトの回転駆動が停止されるため、ベルトの回転の開始又は停止を指示する手間を省くことができ、ディスク装填後のベルトの開状態から閉状態への切り替えがスムーズに行われることとなる。
【００１７】
加えて、ディスクの排出時には、取り出し検出部によりディスクがディスク挿入口から取り出されたと検出されるとベルトを開状態から閉状態へと切り替える回転駆動が開始され、その後、検出部によりベルトの位置が閉状態を形成していると検出されるとベルトの回転駆動が停止されるため、ベルトの回転駆動の開始又は停止を支持する手間を省くことができ、ディスク排出後のベルトの開状態から閉状態への切り替えがスムーズに行われることとなる。
【００１８】
請求項２に記載の発明によれば、ディスク挿入口が上向きに設けられたスロットイン式ディスク再生装置と、表示部の表示画面と前記ディスク挿入口の挿入方向とが平行となるように配置されているため、ディスク再生機能付薄型テレビジョン装置の装置全体の薄型化が図られる。
【００１９】
また、ベルト開口部を有するベルトが筐体の外周あるいは内周を囲んで回転することによって、ディスク挿入口をベルトによって塞ぐ閉状態と、ディスク挿入口がベルト開口部
を介して開口する開状態とが形成される。したがって、ディスクの挿入又は排出時以外はディスク挿入口を塞いで閉状態を形成することで、ディスク再生装置本体内部への塵埃の侵入を防止することができる。
【００２０】
請求項３に記載の発明によれば、請求項２に記載の発明の効果が得られるのは無論のこと、ディスク挿入・排出時には、操作部からの指示入力に基づいて駆動部によりベルトを閉状態から開状態へと切り替える回転駆動が開始され、その後、検出部によりベルトの位置が開状態を形成していると検出されるとベルトの回転駆動が停止されるため、ベルトの回転駆動の停止を指示する手間を省くことができ、ディスク挿入・排出時におけるベルトの閉状態から開状態への切り替えがスムーズに行われることとなる。
【００２１】
請求項４に記載の発明は、請求項３に記載の発明の効果が得られるのは無論のこと、再生部へのディスクの装填後には、ベルトを開状態から閉状態へと切り替える回転駆動が開始され、その後、検出部によりベルトの位置が閉状態を形成していると検出されるとベルトの回転駆動が停止されるため、ベルトの回転の開始又は停止を指示する手間を省くことができ、ディスク装填後のベルトの開状態から閉状態への切り替えがスムーズに行われることとなる。
【００２２】
請求項５に記載の発明は、請求項３又は４に記載の発明の効果が得られるのは無論のこと、ディスクの排出時には、取り出し検出部によりディスクがディスク挿入口から取り出されたと検出されるとベルトを開状態から閉状態へと切り替える回転駆動が開始され、その後、検出部によりベルトの位置が閉状態を形成していると検出されるとベルトの回転駆動が停止されるため、ベルトの回転駆動の開始又は停止を指示する手間を省くことができ、ディスク排出後のベルトの開状態から閉状態への切り替えがスムーズに行われることとなる。  
【発明を実施するための最良の形態】
【００２３】
以下、本発明の実施の形態を、図を参照しながら詳細に説明する。
【００２４】
まず装置全体の構成を説明する。
【００２５】
図１はディスク再生機能付薄型テレビジョン装置全体の正面図、図２はディスク再生機能付薄型テレビジョン装置全体の背面図、図３はディスク再生機能付薄型テレビジョン装置全体の側面図である。
【００２６】
図１〜３に示すように、ディスク再生機能付薄型テレビジョン装置（以下、ディスク再生機能付テレビという。）１００は、薄型テレビジョン装置１と、この薄型テレビジョン装置１の背面部に設けられたディスク再生装置２とが一体化されたものであり、薄型テレビジョン装置１の表示部１１の表示画面１１１とディスク再生装置２のディスク挿入排出方向とが平行となっている。
【００２７】
薄型テレビジョン装置１は、例えば、液晶方式、プラズマ方式等の薄型の表示部１１を備えている。
【００２８】
ディスク再生装置２はスロットイン方式を採用しており、ＤＶＤやＣＤ等のディスク（図示省略）が挿入されるディスク挿入口２２が上向きとなっている。
【００２９】
ディスク再生装置２は、図４〜８に示すように、断面視略矩形状の筐体２１と、この筐体２１内に設けられ、筐体２１内に挿入されたディスクを再生する再生部２４と、筐体２１内の４つの内隅部に各々設けられ、ディスク再生装置２の奥行き方向に平行な軸を中心に回転するローラ２６２と、このローラ２６２に巻回され、筐体２１の内周を囲むように設けられたベルト２６１と、このベルト２６１の位置を検出する検出部としてのベルト検出部２６３，２６４と、ローラ２６２を回転させることによりベルトを回転させる駆動部としてのベルト駆動部２６５と、ディスク再生機能付テレビ１００の動作処理全般を制御
する制御部２７等を備えている。
【００３０】
筐体２１は、例えば、図２に示すように、外形が直方体形状となっており、上面部２１１には、図４に示すように、ディスクの挿入・排出を指示する挿入スイッチ２３ａと、排出スイッチ２３ｂとを備える操作部２３が設けられている。
【００３１】
また、筐体２１の上面部２１１には、ディスク挿入口２２が設けられており、ディスク挿入口２２からは、ベルト２６１が露出するようになっている。
【００３２】
再生部２４は、図４に示すように、ディスクを両面から挟み込んで搬送し、ターンテーブル２４１に載置するとともに、ターンテーブル２４１に載置されたディスクを排出位置まで搬送するディスク搬送ローラ２５１，２５１と、このディスク搬送ローラ２５１，２５１を駆動する挿入・排出駆動部２５２（図８参照）と、ディスクがディスク挿入口２２に挿入されたこと、または、ディスクがディスク挿入口２２から取り出されたことを検出する取り出し検出部としての挿入・取り出し検出部２５３と、ディスクが所定の装填位置に装填されたことを検出する装填検出部２５４と、ディスクがディスク再生装置２から排出されたことを検出する排出検出部２５５と、ターンテーブル２４１を回転駆動させる再生駆動部２４２（図８参照）と、を備えている。
【００３３】
挿入・排出駆動部２５２は、挿入・取り出し検出部２５３からの検出信号に従い、制御部２７からの制御信号の入力により、図示しないモータを駆動してディスク搬送ローラ２５１，２５１を回転駆動する。
【００３４】
挿入・取り出し検出部２５３は、ディスク挿入口２２の内側であってディスク搬送ローラ２５１，２５１の近傍に設けられている。ディスク挿入口２２にディスクが挿入され、或いはディスク挿入口２２からディスクが取り出されたことを検出すると、その検出結果が制御部２７に出力される。
【００３５】
挿入・取り出し検出部２５３は、具体的には、例えば、光をディスクに向かって照射する投光器（図示省略）と、投光器により照射された光を受光して受光結果により制御部２７への出力信号を変化させる受光器（図示省略）と、を備える非接触型の検出センサである。投光器と受光器は、互いに対向する位置に配置されており、投光器と受光器の間をディスクが通過する。
【００３６】
投光器と受光器の間にディスクが存在する状態で、投光器より受光器に向けて光が照射されると、照射された光はディスクによって遮られるため受光器により検出されない。この検出結果は、例えば、「Ｈ」状態の検出信号として、制御部２７に出力される。
【００３７】
一方、投光器と受光器の間にディスクが存在しない状態で、投光器より受光器に光が照射されると、照射された光は、ディスクによって遮られることなく、受光器によって検出される。この検出結果は、例えば、「Ｌ」状態の検出信号として、制御部２７に出力される。
【００３８】
装填検出部２５４は、例えば、挿入・取り出し検出部２５３と同様の非接触型の検出センサなどにより構成され、ターンテーブル２４１にディスクが装填される位置を検出可能に設けられている。投光器と受光器は、互いに対向する位置に配置されており、投光器と受光器の間をディスクが通過することとなる。そして装填検出部２５４が、ディスク搬送ローラ２５１によって搬送されたディスクがターンテーブル２４１に載置されたことを検出すると、その検出信号は制御部２７に出力される。
【００３９】
より具体的には、例えば、ディスクがターンテーブル２４１上に載置され、投光器と受光器の間にディスクが存在する状態で、投光器より受光器に向けて光が照射されると、照射された光はディスクによって遮られるため受光器により検出されない。この検出結果は、例えば、「Ｈ」状態の検出信号として、制御部２７に出力される。
【００４０】
一方、投光器と受光器の間にディスクが存在しない状態で、受光器に光が照射されると
、照射された光は、ディスクによって遮られること無く、受光器によって検出される。この検出結果は、例えば、「Ｌ」状態の検出信号として、制御部２７に出力される。
【００４１】
排出検出部２５５は、例えば、挿入・取り出し検出部２５３と同様の非接触型の検出センサなどにより構成されている。投光器と受光器は、互いに対向する位置に配置されており、投光器と受光器の間をディスクが通過することとなる。排出検出部２５５は、ディスク搬送ローラ２５１，２５１によってディスクがディスク挿入口２２から取り出し可能な所定位置まで搬送されたことを検出すると、その検出信号を制御部２７に出力する。
【００４２】
具体的には、例えば、ディスクが取り出し可能な位置まで排出されておらず、投光器と受光器の間にディスクが存在する状態で、投光器より受光器に向けて光が照射されると、照射された光はディスクによって遮られるため受光器により検出されない。この検出結果は、例えば、「Ｈ」状態の検出信号として、制御部２７に出力される。
【００４３】
一方、ディスクが取り出し可能な位置まで排出されて、投光器と受光器の間にディスクが存在しない状態で、投光器より受光器に向けて光が照射されると、照射された光は、ディスクによって遮られること無く、受光器によって検出される。この検出結果は、例えば、「Ｌ」状態の検出信号として制御部２７に出力される。
【００４４】
再生駆動部２４２は、ターンテーブル２４１を回転駆動させるものである。
【００４５】
そして、ターンテーブル２４１に載置されたディスクを再生駆動部２４２により回転させて、ディスクの信号記録面に光を照射させ、ディスクの信号記録面で反射された光が光ピックアップにより検出されることで信号の再生が行われる。
【００４６】
ローラ２６２は、例えば、図５に示すように、駆動ローラ２６２ａと、従動ローラ２６２ｂとからなり、駆動ローラ２６２ａの駆動軸（図示省略）にはベルト駆動部２６５からの動力が伝達されるようになっている。
【００４７】
ベルト２６１には、ディスクを挿入可能な大きさの二つのベルト開口部２６１１が再生部２４を挟んで対向する位置に設けられている。
【００４８】
そして、ローラ２６２の回転によりベルト２６１がベルト開口部２６１１の長手方向に沿って回転されることによって、図４に示すように、ディスク挿入口２２がベルト開口部２６１１を介して開口する開状態と、図６に示すように、ディスク挿入口２２を当該ベルト２６１により塞ぐ閉状態とが形成されるようになっている。
【００４９】
ベルト検出部２６３，２６４は、ベルト２６１の位置が閉状態か、或いは開状態かを検出する。ベルト検出部２６３，２６４は、例えば、ディスク検出部と同様に非接触型の検出センサを採用しており、ベルトを挟んで対向する位置に投光器と受光器が設けられている。従って、投光器と受光器の間をベルト２６１が通過することとなる。そして、ベルト２６１には、例えば、ベルト開口部２６１１付近に投光器からの光を通過させるための小さな位置検出用開口部（図示省略）が設けられており、投光器からの光はその位置検出用開口部を通過して受光器によって受光される。
【００５０】
投光器と受光器の間にベルト２６１が存在する状態で、投光器より受光器に向けて光が照射されると、照射された光はベルト２６１によって遮られるため受光器によって光は検出されず、その結果は、例えば、「Ｈ」状態の検出信号として制御部２７に出力される。
【００５１】
一方、投光器と受光器の間にベルト開口部２６１１付近に設けられた位置検出用開口部が存在する状態で、投光器より受光器に光が照射されると、照射された光はベルト２６１によって遮られることなく、受光器に検出される。この検出結果は、例えば、「Ｌ」状態の検出信号として、制御部２７に出力される。
【００５２】
また、ベルト検出部２６３，２６４は二つ設けられており、第一のベルト検出部２６３は、例えば、ディスク挿入口２２の付近に設けられており、位置検出用開口部が直上に位置した状態では、ベルト開口部２６１１がディスク挿入口２２と重なる位置となる。この場合は、図４に示すように、筐体２１の上面部２１１のディスク挿入口２２からディスクを挿入・排出可能な開状態が形成されており、ディスクの挿入及び排出を行うことが可能となる。
【００５３】
一方、第二のベルト検出部２６４は、筐体１の左下部（図５参照）に設けられており、位置検出用開口部が直上に位置した状態では、図６に示すように、ディスク挿入口２２がベルト２６１によって塞がれた閉状態が形成され、ディスクの挿入及び排出は不可能である。
【００５４】
ベルト駆動部２６５は、挿入スイッチ２３ａ、排出スイッチ２３ｂ、第一のベルト検出部２６３、第二のベルト検出部２６４、挿入・取り出し検出部２５３、装填検出部２５４からの入力信号に基づく、制御部２７からの制御信号の入力により、図示しないモータを駆動して駆動ローラ２６２ａを回転させることにより、ベルト２６１を回転させる。
【００５５】
次に制御部２７に関して説明する。
【００５６】
図８は、ディスク再生装置２の内部構成を示すブロック図である。制御部２７には、ＣＰＵ(Central Processing Unit)２７１と、ＲＯＭ(Read Only Memory)２７２と、ＲＡＭ(Random Access Memory)２７３と、入力ポート２７４と、出力ポート２７５と、等が備え
られている。
【００５７】
ＣＰＵ２７１は、操作部２３、ベルト検出部２６３，２６４、ディスク検出部２５３、２５４、２５５等から入力ポート２７４を介して入力された入力信号に応じて、ＲＯＭ２７２に格納された各種プログラムを実行し、出力ポート２７５を介して各部に出力信号を出力することによって、ディスク再生機能付テレビ１００の動作処理全般を制御する。
【００５８】
ＲＯＭ２７２は、ＣＰＵ２７１によって実行される各種データ処理プログラムの他、データ処理プログラムに係る各種初期設定値等を格納する。具体的には、ＲＯＭ２７２は、ベルト駆動制御プログラム２７２ａと、挿入駆動制御プログラム２７２ｂと、排出駆動制御プログラム２７２ｃと、再生駆動制御プログラム２７２ｄと、等を格納する。
【００５９】
ベルト駆動制御プログラム２７２ａは、ＣＰＵ２７１に、操作部２３からの挿入又は排出の指示入力がなされた場合に、第一のベルト検出部２６３によりディスク挿入口２２がベルト開口部２６１１を介して開口する開状態と検出されるまで、ベルト駆動部２６５に対し、ベルトを回転駆動させる機能を実現するプログラムであり、ＣＰＵ２７１は、かかるベルト駆動制御プログラム２７２ａを実行することにより開状態制御手段として機能する。
【００６０】
また、ベルト駆動制御プログラム２７２ａは、ＣＰＵ２７１に、装填検出部２５４からのディスクが再生部２４に装填されたとの検出信号が入力された場合に、第二のベルト検出部２６４によりディスク挿入口２２がベルト２６１によって塞がれた閉状態と検出されるまで、ベルト駆動部２６５に対し、ベルト２６１を回転駆動させる機能を実現するプログラムであり、ＣＰＵ２７１は、かかるベルト駆動制御プログラム２７２ａを実行することにより第一の閉状態制御手段として機能する。
【００６１】
さらに、ベルト駆動制御プログラム２７２ａは、ＣＰＵ２７１に、挿入・取り出し検出部２５３によってディスクがディスク挿入口２２から取り出されたとの検出された場合に、第一のベルト検出部２６４によりディスク挿入口２２がベルト２６１によって塞がれた閉状態であると検出されるまで、ベルト駆動部２６５に対し、ベルト２６１を回転駆動させる機能を実現するプログラムであり、ＣＰＵ２７１は、かかるベルト駆動制御プログラム２７２ａを実行することにより第二の閉状態制御手段として機能する。
【００６２】
挿入駆動制御プログラム２７２ｂは、ＣＰＵ２７１に、挿入・取り出し検出部２５３によりディスクがディスク挿入口２２に挿入されたと検出された場合に、挿入・取り出し検出部２５３によりディスクが所定の位置に装填されたと検出されるまで、挿入・排出駆動部２５２に対し、挿入・排出駆動部２５２を駆動させる機能を実現するプログラムである。
【００６３】
排出駆動制御プログラム２７２ｃは、ＣＰＵ２７１に、操作部２３からの排出の指示入力がなされ、ベルト駆動制御プログラム２７２ａの開状態制御手段の実行により第一のベルト検出部２６３によりディスク挿入口２２がベルト開口部２６１１を介して開口された開状態が形成されたと検出された場合に、排出検出部２５５によりディスクが手で取り出し可能な所定位置まで排出されたと検出されるまで、挿入・排出駆動部２５２に対し、挿入・排出駆動部２５２を駆動させる機能を実現するプログラムである。
【００６４】
再生駆動制御プログラム２７２ｄは、ＣＰＵ２７１に、再生等の指示入力がなされた場合に、ディスクに対して信号の読み出し等を行う機能を実現するプログラムである。
【００６５】
ＲＡＭ２７３は、ＲＯＭ２７２から読み出された各種プログラムや、データを一時的に格納する等、ＣＰＵ２７１の作業エリアとして用いられる。
【００６６】
以下、制御部２７によって制御されるディスクの挿入・排出動作処理を説明する。
【００６７】
初めに、図９を参照して、ディスクの挿入動作処理を説明する。
【００６８】
挿入動作処理は、ＲＯＭ２７２に格納されているベルト駆動制御プログラム２７２ａと、挿入駆動制御プログラム２７２ｂと、が実行されることにより行われる。
【００６９】
なお挿入動作処理開始の時点において、ベルト２６１の位置は閉状態を形成している。
【００７０】
まず、制御部２７は、操作部２３、ベルト検出部２６３，２６４、挿入・取り出し検出部２５３、装填検出部２５４からの各種信号の入力を適時監視している。
【００７１】
そして、操作部２３の挿入スイッチ２３ａが押下され、その検出信号が制御部２７に出力されると(ステップＳ１；ＹＥＳ)、制御部２７はベルト駆動部２６５に対してベルト２６１を駆動させる制御信号を出力してベルト２６１を回転させる（ステップＳ２）。
【００７２】
ステップＳ３において、制御部２７は、第一のベルト検出部２６３によって検出され、制御部２７に出力された検出結果が「Ｌ」状態であるか、或いは「Ｈ」状態であるかを判定する。制御部２７は「Ｌ」状態であると判定した場合(ステップＳ３；ＹＥＳ)には、ベルト駆動部２６５に対してベルト駆動を停止させる制御信号を出力してベルト駆動を停止させる（ステップＳ４）。このとき、ディスク挿入口２２はベルト２６１によって塞がれておらず、ディスク挿入口２２から再生部２４内にディスクが挿入可能な開状態である。
【００７３】
次に、制御部２７は挿入・取り出し検出部２５３の「Ｈ」状態／「Ｌ」状態を判定する（ステップＳ５）。制御部２７が挿入・取り出し検出部２５３から出力された検出結果を「Ｈ」状態と判定すると（ステップＳ５；ＹＥＳ）、制御部２７は挿入・排出駆動部２５２に対してディスク搬送ローラ２５１，２５１を駆動させる制御信号を出力してディスク搬送ローラ２５１，２５１の駆動を開始させる(ステップＳ６)。すると、ディスクはディスク搬送ローラ２５１，２５１により筐体２１の内部へ搬送され、ターンテーブル２４１に載置される。
【００７４】
そして、ディスクが、再生駆動が行われる所定の位置にチャッキングされ、制御部２７が挿入・取り出し検出部２５３から出力された検出結果を「Ｌ」状態と判定すると（ステップＳ７；ＹＥＳ）、制御部２７は挿入・排出駆動部２５２の挿入駆動を停止させる制御信号を出力してディスク搬送ローラ２５１，２５１の駆動を停止させる（ステップＳ８）
。
【００７５】
次に制御部２７は、装填検出部２５４の「Ｈ」状態/「Ｌ」状態を判定する（ステップ
Ｓ９）。制御部２７が装填検出部２５４から出力された検出結果を「Ｈ」状態と判定すると（ステップＳ９；ＹＥＳ）、ベルト駆動部２６に対しベルト駆動を開始させる制御信号を出力し、ベルト２６１を回転させる（ステップＳ１０）。そして、ベルト２６１が回転することにより、制御部２７が第二のベルト検出部２６４から出力された検出結果を「Ｌ」状態と判定すると（ステップＳ１１；ＹＥＳ）、制御部２７はベルト駆動部２６５にベルト駆動を停止させる制御信号を出力し(ステップＳ１２)、本処理を終了する。このとき、ディスク挿入口２２がベルト２６１によって塞がれた閉状態が形成されている。
【００７６】
次に、図９を参照して、ディスクの排出動作処理を説明する。
【００７７】
排出動作処理は、ＲＯＭ２７２に格納されているベルト駆動制御プログラム２７２ａと、ディスク排出駆動制御プログラム２７２ｃと、が実行されることにより、行われる。
【００７８】
なお排出動作処理開始の時点において、ベルト２６１の位置は閉状態を形成している。
【００７９】
まず、制御部２７は、操作部２３、ベルト検出部２６３，２６４、挿入・取り出し検出部２５３、排出検出部２５５からの各種信号の入力を適時監視している。
【００８０】
操作部２３の排出スイッチ２３ｂが押下され、その検出信号が制御部２７に出力されると(ステップＳ２１)、制御部２７はベルト２６１を駆動させる制御信号を出力してベルト２６１を回転させる(ステップＳ２２)。
【００８１】
そして制御部２７は、第一のベルト検出部２６３から出力された検出結果の「Ｌ」状態／「Ｈ」状態を判定する（ステップＳ２３）。制御部２７は、第一のベルト検出部２６３から出力された検出結果を「Ｌ」状態であると判定した場合(ステップＳ２３；ＹＥＳ)には、ベルト駆動部２６５に対してベルト駆動を停止させる制御信号を出力してベルト駆動を停止させる（ステップＳ２４）。このとき、ディスク挿入口２２はベルト２６１によって塞がれておらず、ディスク挿入口２２からディスクが排出可能な開状態である。
【００８２】
次に、制御部２７は挿入・排出駆動部２５２に対してディスク搬送ローラ２５１，２５１を駆動させる制御信号を出力してディスク搬送ローラ２５１，２５１の駆動を開始させる（ステップＳ２５）。ディスクがディスク搬送ローラ２５１により排出され、手で取り出し可能な所定位置まで排出されると、制御部２７は排出検出部２５５から出力された検出結果の「Ｈ」状態/「Ｌ」状態を判定する（ステップＳ２６）。制御部２７が排出検出
部２５５から出力された検出結果を「Ｌ」状態と判定すると（ステップＳ２６；ＹＥＳ）、制御部２７は挿入・排出駆動部２５２の排出駆動を停止させる制御信号を出力する（ステップＳ２７）。
【００８３】
その後、制御部２７は、ディスク挿入・取り出し検出部２５３から出力された検出結果の「Ｈ」状態／「Ｌ」状態を判定する（ステップＳ２８）。制御部２７が挿入・取り出し検出部２５３から出力された検出結果を「Ｌ」状態と判定すると（ステップＳ２８；ＹＥＳ）、制御部２７はベルト駆動部２６５の駆動の開始させる制御信号を出力し、ベルト２６１を回転させる（ステップＳ２９）次に制御部２７は第二のベルト検出部２６４から出力された検出結果の「Ｈ」状態/「Ｌ」状態から出力された検出結果を判定し（ステップ
Ｓ３０）、「Ｌ」状態と判定すると（ステップＳ３０；ＹＥＳ）、制御部２７はベルト駆動部２６５に対してベルト駆動を停止させる制御信号を出力し(ステップＳ３１)、本処理を終了する。このとき、ディスク挿入口２２がベルト２６１によって塞がれた閉状態が形成されている。
【００８４】
以上説明した本発明に係るディスク再生機能付薄型テレビジョン装置１００によれば、ディスク挿入口２２が上向きに設けられたスロットイン式ディスク再生装置２と、表示部
１１の表示画面１１と前記ディスク挿入口２２の挿入方向とが平行となるように配置されているため、ディスク再生機能付薄型テレビジョン装置１００の装置全体の薄型化が図られる。
【００８５】
また、ベルト開口部２６１１を有するベルト２６１が筐体２１の内周を囲んで回転することによって、ディスク挿入口２２をベルト２６１によって塞ぐ閉状態と、ディスク挿入口２２がベルト開口部２６１１を介して開口する開状態とが形成される。したがって、ディスクの挿入又は排出時以外はディスク挿入口２２を塞いで閉状態を形成することで、ディスク再生装置１００本体内部への塵埃の侵入を防止することができる。
【００８６】
また、ディスク挿入・排出時には、操作部２３からの指示入力に基づいてベルト駆動部２６５によりベルトを閉状態から開状態へと切り替える回転駆動が開始され、その後、第一のベルト検出部２６３によりベルトの位置が開状態を形成していると検出されるとベルト２６１の回転駆動が停止されるため、ベルト２６１の回転駆動の停止を指示する手間を省くことができ、ディスク挿入・排出時におけるベルト２６１の閉状態から開状態への切り替えがスムーズに行われることとなる。
【００８７】
更に、再生部２４へのディスクの装填後には、ベルト２６１を開状態から閉状態へと切り替える回転駆動が開始され、その後、第二のベルト検出部２６４によりベルト２６１の位置が閉状態を形成していると検出されるとベルト２６１の回転駆動が停止されるため、ベルト２６１の回転の開始又は停止を指示する手間を省くことができ、ディスク装填後のベルト２６１の開状態から閉状態への切り替えがスムーズに行われることとなる。
【００８８】
加えて、ディスクの排出時には、挿入・取り出し検出部２５３によりディスクがディスク挿入口２２から取り出されたと検出されるとベルト２６１を開状態から閉状態へと切り替える回転駆動が開始され、その後、第二のベルト検出部２６４によりベルト２６１の位置が閉状態を形成していると検出されるとベルト２６１の回転駆動が停止されるため、ベルト２６１の回転駆動の開始又は停止を支持する手間を省くことができ、ディスク排出後のベルト２６１の開状態から閉状態への切り替えがスムーズに行われることとなる。
【００８９】
なお、本発明は前述の実施の形態に限定されるものではなく、例えば、各検出部に、非接触型の検出センサを用いたが、接触型の検出センサでもよい。
【００９０】
また、各検出部の設置位置及び個数も上記実施の形態に限定されるものではなく、上記実施形態で示した機能、役割を果たすことができるものであれば足りる。
【００９１】
また、ベルト２６１に設けられるベルト開口部２６１１は、本実施形態では二つ設けたが、一つでもよい。
【００９２】
また、ベルト２６１をベルト駆動部２６５で駆動させるようにしたが、ユーザが適宜ベルト２６１を回転させることで、開状態と閉状態を形成してもよい。
【００９３】
また、ベルト２６１を筐体２１の内周を囲むように配置したが、筐体２１の外周を囲むように配置してもよい。
【図面の簡単な説明】
【００９４】
【図１】ディスク再生機能付薄型テレビジョン装置の正面図である。
【図２】ディスク再生機能付薄型テレビジョン装置の背面図である。
【図３】ディスク再生機能付薄型テレビジョン装置の側面図である。
【図４】ベルト開口部とディスク挿入口が一致した状態におけるディスク挿入口の上方からの平面図である。
【図５】図４におけるV−V部の断面図である。
【図６】ベルト開口部とディスク挿入口が不一致の状態におけるディスク挿入口の上方からの平面図である。
【図７】図５におけるVII−VII部の断面図である。
【図８】ディスク再生装置の内部構成を示すブロック図である。
【図９】挿入動作処理のフローチャートである。
【図１０】排出動作処理のフローチャートである。
【符号の説明】
【００９５】
１００  ディスク再生機能付薄型テレビジョン装置
１  薄型テレビジョン装置
１１  表示部
２  ディスク再生装置
２１  筐体
２２  ディスク挿入口
２３  操作部
２４  再生部
２５３  挿入・取り出し検出部
２５４  装填検出部
２６１  ベルト
２６１１  ベルト開口部
２６２  ローラ
２６３  第一のベルト検出部（検出部）
２６４  第二のベルト検出部（検出部）
２６５  ベルト駆動部（駆動部）
２７１  ＣＰＵ（開状態制御手段、第一の閉状態制御手段、第二の閉状態制御手段）
２７２ａ  ベルト駆動制御プログラム（開状態制御手段、第一の閉状態制御手段、第二の閉状態制御手段）
【図１】
2006331492.tif 000003
【図２】
2006331492.tif 000004
【図３】
2006331492.tif 000005
【図４】
2006331492.tif 000006
【図５】
2006331492.tif 000007
【図６】
2006331492.tif 000008
【図７】
2006331492.tif 000009
【図８】
2006331492.tif 000010
【図９】
2006331492.tif 000011
【図１０】
2006331492.tif 000012